(57)【要約】【課題】回路規模を増大させることなく、画像のコントラストを調整することができる、液晶駆動装置、及び、液晶駆動方法を提供する。【解決手段】複数のコモン配線に対し、複数の電圧レベルの走査信号ＣＯＭｍを時分割で順次出力するコモンドライバ６と、複数のセグメント配線に対し、複数の電圧レベルの表示信号ＳＥＧｎを出力するセグメントドライバ７と、全てのデューティー期間ｔ１に挿入するコントラスト調整期間ｔ２を生成し、デューティー期間ｔ１の切り替えタイミングと同期してコントラスト調整期間ｔ２の挿入を指示するコントラストコントロール信号ＣＣを、コモンドライバ６とセグメントドライバ７とに出力するコントラスト調整タイミング生成回路１とを有し、コモンドライバ６とセグメントドライバ７は、コントラスト調整期間ｔ２において、走査信号ＣＯＭｍ及び表示信号ＳＥＧｎを同電位で出力する。【選択図】図１
2018049152.tif 000002
【特許請求の範囲】
【請求項１】
複数本のコモン配線と複数本のセグメント配線とを備えた液晶表示装置を駆動する液晶駆動装置であって、
前記複数のコモン配線に対し、複数の電圧レベルからなる走査信号を時分割で順次出力するコモンドライバと、
前記複数のセグメント配線に対し、複数の電圧レベルからなる表示信号を出力するセグメントドライバと、
全てのデューティー期間に挿入するコントラスト調整期間を生成し、前記走査信号及び前記表示信号の切り替えのタイミングと同期して前記コントラスト調整期間を挿入するタイミングを指示するコントラストコントロール信号を、前記コモンドライバと前記セグメントドライバとに出力するコントラスト調整部と、を有し、
前記コモンドライバと前記セグメントドライバとは、前記コントラストコントロール信号が前記コントラスト調整期間を示すときは、前記走査信号及び前記表示信号を同電位で出力することを特徴とする、液晶駆動装置。
【請求項２】
前記走査信号及び前記表示信号は、２つの電圧レベルからなることを特徴とする、請求項１に記載の液晶駆動装置。
【請求項３】
前記コントラスト調整部は、偶数番目の前記デューティー期間と、奇数番目の前記デューティー期間とで、前記コントラスト調整期間の挿入タイミングを異ならせることを特徴とする、請求項１又は請求項２に記載の液晶駆動装置。
【請求項４】
前記コントラスト調整部は、連続する２つの前記デューティー期間に挿入する前記コントラスト調整期間が連続するように、前記コントラスト調整期間の挿入タイミングを生成することを特徴とする、請求項３に記載の液晶駆動装置。
【請求項５】
複数本のコモン配線と複数本のセグメント配線とを備えた液晶表示装置を時分割で駆動する液晶駆動方法であって、
全てのデューティー期間に挿入するコントラスト調整期間を生成し、
前記デューティー期間の切り替えのタイミングと同期して前記コントラスト調整期間を挿入するタイミングを指示するコントラストコントロール信号を出力し、
前記コントラストコントロール信号が前記コントラスト調整期間を示すときは第一の電位、それ以外の期間は複数の電圧レベルからなる走査信号を時分割で前記複数のコモン配線に出力し、
前記コントラストコントロール信号が前記コントラスト調整期間を示すときは前記第一の電位、それ以外の期間は複数の電圧レベルからなる表示信号を前記複数のセグメント配線に出力することを特徴とする、液晶駆動方法。
【発明の詳細な説明】
【技術分野】
【０００１】
本実施形態は、液晶駆動装置、及び、液晶駆動方法に関する。
【背景技術】
【０００２】
液晶表示装置は、低電圧駆動、低消費電力のディスプレイであり、時計、電子式卓上計算機、電子ゲーム、リモコンの表示部、プライスタグなど、幅広く使用されている。
【０００３】
従来、この種の液晶表示装置は、行方向に延びる複数の走査電極（コモン配線）と、コモン配線群と交差するように列方向に延びる複数の信号電極（セグメント配線）とが設けられている。コモン配線とセグメント配線との交差位置に対応して、画素が形成される。この液晶表示装置の駆動方法として、主に、マルチプレクス駆動法が用いられている。マルチプレクス駆動法は、各コモン配線を順次選択して駆動するとともに、各コモン配線の選択期間と同期して、表示画像に対応した駆動電圧をセグメント配線群に印可する。
【０００４】
表示画像のコントラストを調整する方法として、一般的に、駆動電圧を制御する方法が用いられている。駆動電圧を高くするほど、画像のコントラストは濃くなる。逆に、駆動電圧を低くするほど、画像のコントラストは淡くなる。駆動電圧を可変させることにより画像のコントラストを調整する場合、電圧調整回路を備えた昇圧回路（電源回路）を液晶駆動装置に付加するか、外部からの印可電圧を調整して液晶駆動装置に供給する必要がある。このため、回路規模が増大してしまう。
【０００５】
しかし、この種の液晶表示装置を使用する機器に搭載される液晶駆動装置の電源電圧は、低消費電力の要求を満たすため、１．５〜５Ｖ程度の低電圧である。従って、昇圧回路を装置内部に付加したり、外部からの印可電圧を調整したりするためには、回路規模が増大し、コストやチップ面積が増大してしまうという問題があった。
【０００６】
これに対して、コモン配線とセグメント配線に、所望の表示画像に対応した駆動電圧を、一定期間印可した後、両配線を同電位にするコントラスト調整期間を設けることで、画像の濃淡を調整することが可能な液晶駆動装置が提案されている。すなわち、コントラスト調整期間を短くするほど、画像のコントラストは濃くなり、逆に、コントラスト調整期間を長くするほど、画像のコントラストは淡くすることが可能である。
【０００７】
しかしながら、コントラスト調整期間を付加することによってコントラストを調整する場合、駆動電圧を印可する期間とコントラスト調整期間とからなるフレーム期間が、濃淡の度合いに応じて変わってしまう。このため、１フレームの期間を一定にするための調整回路を付加する必要があり、やはり回路規模が増大してしまうという問題があった。
【先行技術文献】
【特許文献】
【０００８】
【特許文献１】特開平１１−５２３３２号公報
【発明の概要】
【発明が解決しようとする課題】
【０００９】
本実施形態は、回路規模を増大させることなく、画像のコントラストを調整することができる、液晶駆動装置、及び、液晶駆動方法を提供することを目的とする。
【課題を解決するための手段】
【００１０】
本実施形態の液晶駆動装置は、複数本のコモン配線と複数本のセグメント配線とを備えた液晶表示装置を駆動する液晶駆動装置であって、前記複数のコモン配線に対し、複数の電圧レベルからなる走査信号を時分割で順次出力するコモンドライバと、前記複数のセグメント配線に対し、複数の電圧レベルからなる表示信号を出力するセグメントドライバとを有する。また、全てのデューティー期間に挿入するコントラスト調整期間を生成し、前記走査信号及び前記表示信号の切り替えのタイミングと同期して前記コントラスト調整期間を挿入するタイミングを指示するコントラストコントロール信号を、前記コモンドライバと前記セグメントドライバとに出力するコントラスト調整部も有する。前記コモンドライバと前記セグメントドライバとは、前記コントラストコントロール信号が前記コントラスト調整期間を示すときは、前記走査信号及び前記表示信号を同電位で出力する。
【図面の簡単な説明】
【００１１】
【図１】第１の実施形態に係わる液晶駆動装置の構成を説明する概略ブロック図。
【図２】第１の実施形態に係わる液晶駆動装置の動作の一例を示す波形図。
【図３】第２の実施形態に係わる液晶駆動装置の動作の一例を示す波形図。
【図４】コモンドライバ、及び、セグメントドライバの入出力値の対応関係を示す図。
【図５】第３の実施形態に係わる液晶駆動装置の動作の一例を示す波形図。
【図６】第４の実施形態に係わる液晶駆動装置の動作の一例を示す波形図。
【発明を実施するための形態】
【００１２】
以下、図面を参照して実施形態を説明する。
（第１の実施形態）
図１は、第１の実施形態に係わる液晶駆動装置の構成を説明する概略ブロック図である。図１に示す液晶駆動装置は、コントラスト調整タイミング生成回路１と、コントラスト調整時間選択レジスタ２と、駆動タイミング発生回路４と、表示データ領域３と、表示データ選択制御回路５とを有して構成される。また、液晶駆動装置は、複数のコモン電極Ｘ１、Ｘ２、…、Ｘｍと、複数のセグメント電極Ｙ１、Ｙ２、…、Ｙｎと、コモンドライバ６と、セグメントドライバ７とも有する。
【００１３】
駆動タイミング発生回路４は、液晶駆動回路全体の動作タイミングの同期を計るためのクロック信号（図示せず）を生成し、コモンドライバ６、セグメントドライバ７、及び、コントラスト調整タイミング生成回路１に出力する。また、駆動タイミング発生回路４は、データ信号ＤＡＴＡ（ＣＯＭ）を、コモンドライバ６に出力する。データ信号ＤＡＴＡ（ＣＯＭ）は、コモン電極Ｘ１、Ｘ２、…、Ｘｍに所与の選択電圧を供給して、各コモン電極に接続された液晶表示部（図示せず）のコモン配線のそれぞれを、所定のタイミングで走査させるための駆動信号である。更に、駆動タイミング発生回路４は、フレーム反転信号ＦＲを、コモンドライバ６とセグメントドライバ７とに出力し、１フレーム毎にコモン電極とセグメント電極とに印加する信号を反転させる。
【００１４】
表示データ領域３は、液晶表示装置（図示せず）に表示させる入力画像データを一時的に記憶する。表示データ選択制御回路５は、次に出力する所定ライン分の画像データＤＡＴＡ（ＳＥＧ）を、表示データ領域３から読み出して、セグメントドライバ７に出力する。
【００１５】
コントラスト調整タイミング生成回路（コントラスト調整部）１は、各フレームのデューティー期間において、コモン電極への印加電圧とセグメント電極への印加電圧とを同じ値にするタイミング（コントラスト調整期間の長さ、及び、各デューティー期間におけるコントラスト調整期間の配置）を生成する。コントラスト調整時間選択レジスタ２は、コントラスト調整タイミング生成回路１で複数のタイミングが生成されている場合、所望のコントラストに応じて適切なタイミングを選択し、コントラストコントロール信号ＣＣとして、コモンドライバ６とセグメントドライバ７へ出力する。
【００１６】
コモンドライバ６は、データ信号ＤＡＴＡ（ＣＯＭ）と、フレーム反転信号ＦＲ、コントラストコントロール信号ＣＣに基づいて、液晶表示装置のコモン配線のそれぞれに、走査信号ＣＯＭ１、ＣＯＭ２…ＣＯＭｍを出力する。コモンドライバ６は、走査信号ＣＯＭ１、ＣＯＭ２…ＣＯＭｍを適宜出力することで、対応するそれぞれのコモン配線を走査状態に設定して駆動させる。
【００１７】
セグメントドライバ７は、表示データ選択制御回路５から入力される画像データＤＡＴＡ（ＳＥＧ）と、フレーム反転信号ＦＲ、コントラストコントロール信号ＣＣに基づいて、電極Ｙ１、Ｙ２、…、Ｙｎに接続されている液晶表示装置のセグメントのそれぞれに、表示信号ＳＥＧ１、ＳＥＧ２…ＳＥＧｎを出力する。セグメントドライバ７は、表示信号ＳＥＧ１、ＳＥＧ２…ＳＥＧｎを適宜出力することで、対応するそれぞれのセグメントに所定の電圧を印加させる。
【００１８】
次に、本実施形態の液晶駆動装置の動作を説明する。図２は、第１の実施形態に係わる液晶駆動装置の動作の一例を示す波形図である。図２には、４分の１デューティー駆動の液晶駆動装置において、３本の走査信号ＣＯＭ１、ＣＯＭ２、ＣＯＭ３の駆動波形の一例と、表示信号ＳＥＧｎが全点灯の場合の波形（図２において、ＳＥＧ＿点灯と表記）と、表示信号ＳＥＧｎが非点灯の場合の波形（図２において、ＳＥＧ＿非点灯と表記）と、点灯／非点灯を組み合わせた総合的な表示信号ＳＥＧｎの波形（図２において、ＳＥＧ＿ｘと表記）を示している。
【００１９】
本実施形態の液晶駆動装置は、走査信号ＣＯＭ１、ＣＯＭ２…ＣＯＭｍ、表示信号ＳＥＧ１、ＳＥＧ２…ＳＥＧｎ共に、駆動波形が高電位（“Ｈ”）と、低電位（“Ｌ”）の２値のみを使用する。この駆動方法では、フレーム期間において、１ライン分の画像データを表示する点灯期間ｔ１に“Ｌ”となる選択信号を、走査信号ＣＯＭ１からＣＯＭｍへ向かって順次シフトさせながら出力する。
【００２０】
一方、表示信号ＳＥＧ１、ＳＥＧ２…ＳＥＧｎは、セグメントドライバ７において、画像データＤＡＴＡ（ＳＥＧ）の表示パターンから演算によって駆動波形が生成される。フレーム期間において、表示信号ＳＥＧ１、ＳＥＧ２…ＳＥＧｎは、全点灯の場合には“Ｌ”を出力し、非点灯の場合には“Ｈ”を出力する。
【００２１】
なお、フレーム反転期間においては、１ライン分の画像データを表示する点灯期間（デューティー期間ｔ１）に“Ｈ”となる選択信号を、走査信号ＣＯＭ１からＣＯＭｍへ向かって順次シフトさせながら出力する。また、表示信号ＳＥＧ１、ＳＥＧ２…ＳＥＧｎは、全点灯の場合には“Ｈ”を出力し、非点灯の場合には“Ｌ”を出力する。
【００２２】
ここで、フレーム期間、及び、フレーム反転期間の全てのデューティー期間ｔ１において、全ての走査信号ＣＯＭｍと全ての表示信号ＳＥＧｎは、コントラストコントロール信号ＣＣで指定されたコントラスト調整期間ｔ２だけ、“Ｌ”を出力する。例えば、走査信号ＣＯＭ２は、フレーム期間の最初のデューティー期間は、非点灯期間であるので“Ｈ”を出力するが、当該デューティー期間ｔ１の最後のコントラスト調整期間ｔ２は、“Ｌ”を出力する。同様に、他の走査信号ＣＯＭ１、ＣＯＭ２…ＣＯＭｍや表示信号ＳＥＧ１、ＳＥＧ２…ＳＥＧｎも、非点灯期間に該当するデューティー期間は“Ｈ”を出力するが、当該デューティー期間ｔ１の最後のコントラスト調整期間ｔ２は、“Ｌ”を出力する。
【００２３】
液晶表示装置に配置されている画素は、接続されているコモン配線ＣＯＭｍとセグメント配線ＳＥＧｎに印加されている電位に差が生じている時間の長さに応じ、コントラストを変化させる。すなわち、電位差が生じている時間が長いほどコントラストが濃くなり、電位差が生じている時間が短いほどコントラストが淡くなる。従って、コモン配線ＣＯＭｍとセグメント配線ＳＥＧｎに印加されている電位がともに“Ｌ”であり、電位差が生じていないコントラスト調整期間ｔ２の長さを変更することで、所望のコントラストを得ることができる。
【００２４】
このように、本実施形態によれば、全てのデューティー期間ｔ１において、全てのコモン配線ＣＯＭｍとセグメント配線ＳＥＧｎに印加する電位を同電位にして出力するコントラスト調整期間ｔ２を設けている。コントラスト調整期間ｔ２の長さを変更することで、出力する画像のコントラストを所望の濃淡に調整することができる。従って、コモン配線ＣＯＭｍとセグメント配線ＳＥＧｎに印加する電位をより高い電位に昇圧する必要がないため、回路規模の増大を抑制することができる。
【００２５】
また、全てのデューティー期間内にコントラスト調整期間ｔ２を設けているので、コントラストを変更してもフレーム期間の長さは変更されない。従って、画像の出力等、各種タイミングを調整するための回路は必要ないため、回路規模の増大を抑制することができる。
【００２６】
なお、図２に示す波形では、コントラスト調整期間ｔ２において、全てのコモン配線ＣＯＭｍとセグメント配線ＳＥＧｎに“Ｌ”を出力しているが、同電位であればよく、例えば“Ｈ”など他の電位を出力してもよい。また、図２において、“Ｌ”の電位は接地電位（ＶＳＳ、０Ｖ）としているが、他の電位でもよい。
（第２の実施形態）
第１の実施形態の液晶駆動装置は、走査信号ＣＯＭ１、ＣＯＭ２…ＣＯＭｍ、表示信号ＳＥＧ１、ＳＥＧ２…ＳＥＧｎ共に、駆動波形が高電位（“Ｈ”）と、低電位（“Ｌ”）の２値のみを使用していた。これに対し、第２の実施形態の液晶駆動装置は、Ｖ０、Ｖ１、Ｖ２、Ｖ３の４値を用いる点が異なっている。本実施形態の液晶駆動装置の構成は、図１に示す液晶駆動装置と同様であるので、説明を省略する。
【００２７】
図３は、第２の実施形態に係わる液晶駆動装置の動作の一例を示す波形図である。図３には、３分の１デューティー駆動の液晶駆動装置において、３本の走査信号ＣＯＭ１、ＣＯＭ２、ＣＯＭ３の駆動波形の一例を示している。また、図３には、表示信号ＳＥＧｎが全点灯の場合の波形（ＳＥＧ＿点灯）と、表示信号ＳＥＧｎが非点灯の場合の波形（ＳＥＧ＿非点灯）と、点灯／非点灯を組み合わせた総合的な表示信号ＳＥＧｎの波形（ＳＥＧ＿ｘ）を示している。さらに、図３には、セグメント表示が“１０１”の場合の表示信号ＳＥＧｎの波形（ＳＥＧ＿１０１）も示している。
【００２８】
走査信号ＣＯＭ１、ＣＯＭ２、ＣＯＭ３は、フレーム期間においては、１ライン分の画像データを表示する点灯期間（デューティー期間ｔ１）にＶ０となる選択信号を、走査信号ＣＯＭ１からＣＯＭｍへ向かって順次シフトさせながら出力する。一方、フレーム反転期間においては、１ライン分の画像データを表示する点灯期間ｔ１にＶ３となる選択信号を、走査信号ＣＯＭ１からＣＯＭｍへ向かって順次シフトさせながら出力する。なお、走査信号ＣＯＭ１、ＣＯＭ２、ＣＯＭ３の非選択信号は、フレーム期間においてはＶ２、フレーム反転期間においてはＶ１である。
【００２９】
一方、表示信号ＳＥＧ１、ＳＥＧ２…ＳＥＧｎは、セグメントドライバ７において、画像データＤＡＴＡ（ＳＥＧ）の表示パターンから駆動波形が生成される。
すなわち、フレーム期間において、表示信号ＳＥＧ１、ＳＥＧ２…ＳＥＧｎは、全点灯の場合にはＶ３を出力し、非点灯の場合にはＶ１を出力する。また、フレーム反転期間において、全点灯の場合にはＶ０を出力し、非点灯の場合にはＶ２を出力する。
【００３０】
例えば、セグメント表示が“１０１”の場合、ＳＥＧ＿１０１の波形に示すように、フレーム期間において、最初のデューティー期間はＶ３、次のデューティー期間はＶ１、最後のデューティー期間はＶ３を出力する。続くフレーム反転期間において、最初のデューティー期間はＶ０、次のデューティー期間はＶ２、最後のデューティー期間はＶ０を出力する。
【００３１】
ここで、フレーム期間、及び、フレーム反転期間の全てのデューティー期間ｔ１において、全ての走査信号ＣＯＭｍと全ての表示信号ＳＥＧｎは、コントラストコントロール信号ＣＣで指定されたコントラスト調整期間ｔ２だけ、Ｖ０を出力する。例えば、走査信号ＣＯＭ２は、フレーム期間の最初のデューティー期間は、非点灯期間であるのでＶ２を出力するが、当該デューティー期間ｔ１の最後のコントラスト調整期間ｔ２はＶ０を出力する。同様に、他の走査信号ＣＯＭ１、ＣＯＭ２…ＣＯＭｍや表示信号ＳＥＧ１、ＳＥＧ２…ＳＥＧｎも、出力電位にかかわらず、全てのデューティー期間ｔ１の最後のコントラスト調整期間ｔ２は、Ｖ０を出力する。
【００３２】
図４は、第２の実施形態に係わる液晶駆動装置における、コモンドライバ、及び、セグメントドライバの入出力値の対応関係を示す図である。走査信号ＣＯＭも、表示信号ＳＥＧも、コントラストコントロール信号ＣＣとして“０”が入力されている間は、従来の４値駆動における電位（Ｖ０〜Ｖ３）を出力する。しかし、コントラストコントロール信号ＣＣとして“１”が入力されている間は、フレーム反転信号ＦＲやデータ信号ＤＡＴＡ（ＣＯＭ）、ＤＡＴＡ（ＳＥＧ）の入力値にかかわらず、Ｖ０を出力する。
【００３３】
このように、本実施形態によれば、多値を用いて駆動する場合にも、全てのデューティー期間ｔ１において、全てのコモン配線ＣＯＭｍとセグメント配線ＳＥＧｎに印加する電位を同電位にして出力するコントラスト調整期間ｔ２を設けることで、出力する画像のコントラストを所望の濃淡に調整することができる。従って、コモン配線ＣＯＭｍとセグメント配線ＳＥＧｎに印加する電位を変えることなくコントラストを調整することができるため、回路規模の増大を抑制することができる。
【００３４】
また、全てのデューティー期間ｔ１内にコントラスト調整期間ｔ２を設けているので、コントラストを変更してもフレーム期間の長さは変更されない。従って、画像の出力等、各種タイミングを調整するための回路は必要ないため、回路規模の増大を抑制することができる。
【００３５】
なお、図３に示す波形では、コントラスト調整期間ｔ２において、全てのコモン配線ＣＯＭｍとセグメント配線ＳＥＧｎにＶ０を出力しているが、同電位であればよく、例えばＶ１など他の電位を出力してもよい。また、図４において、Ｖ０の電位は接地電位（ＶＳＳ、０Ｖ）としているが、他の電位でもよい。
（第３の実施形態）
第１の実施形態の液晶駆動装置は、全てのデューティー期間の最後にコントラスト調整期間ｔ２を設けていた。これに対し、第３の実施形態の液晶駆動装置は、偶数番目のデューティー期間と奇数番目のデューティー期間とで、コントラスト調整期間ｔ２を配置する位置を変えている点が、異なっている。本実施形態の液晶駆動装置の構成は、図１に示す液晶駆動装置と同様であるので、説明を省略する。
【００３６】
図５は、第３の実施形態に係わる液晶駆動装置の動作の一例を示す波形図である。図５には、４分の１デューティー駆動の液晶駆動装置において、３本の走査信号ＣＯＭ１、ＣＯＭ２、ＣＯＭ３の駆動波形の一例と、表示信号ＳＥＧｎが全点灯の場合の波形（ＳＥＧ＿点灯）と、表示信号ＳＥＧｎが非点灯の場合の波形（ＳＥＧ＿非点灯）と、点灯／非点灯を組み合わせた総合的な表示信号ＳＥＧｎの波形（ＳＥＧ＿ｘ）を示している。
【００３７】
本実施形態の液晶駆動装置は、走査信号ＣＯＭ１、ＣＯＭ２…ＣＯＭｍ、表示信号ＳＥＧ１、ＳＥＧ２…ＳＥＧｎ共に、駆動波形が高電位（“Ｈ”）と、低電位（“Ｌ”）の２値のみを使用する。各デューティー期間ｔ１における基本的な駆動波形は、コントラスト調整期間ｔ２の配置以外、図２に示す液晶駆動装置と同様である。
【００３８】
全てのデューティー期間ｔ１において、全ての走査信号ＣＯＭｍと全ての表示信号ＳＥＧｎは、コントラストコントロール信号ＣＣで指定されたコントラスト調整期間ｔ２だけ、“Ｌ”を出力する。偶数番目のデューティー期間は、当該デューティー期間ｔ１の最後にコントラスト調整期間ｔ２が配置され、奇数番目のデューティー期間は、当該デューティー期間ｔ１の最初にコントラスト調整期間ｔ２が配置されている。
【００３９】
すなわち、２ｉ番目のデューティー期間のコントラスト調整期間と、２ｉ＋１番目のデューティー期のコントラスト調整期間とが連続するように配置されている。このように配置するとで、２ｉ番目のデューティー期間のコントラスト調整期間が開始されるときに、全ての走査信号ＣＯＭｍと全ての表示信号ＳＥＧｎの電位を“Ｌ”に設定したら、２ｉ＋１番目のデューティー期のコントラスト調整期間が終了するまで“Ｌ”の電位のままでよい。従って、各デューティー期間ｔ１に配置するコントラスト調整期間ｔ２の長さを変えることなく、走査信号ＣＯＭｍと表示信号ＳＥＧｎの出力値の切り替えの頻度を半減することができる。
【００４０】
このように、本実施形態によれば、全てのデューティー期間ｔ１において、全てのコモン配線ＣＯＭｍとセグメント配線ＳＥＧｎに印加する電位を同電位にして出力するコントラスト調整期間ｔ２を設けている。２ｉ番目のデューティー期間のコントラスト調整期間と、２ｉ＋１番目のデューティー期のコントラスト調整期間とは連続するように配置されている。従って、回路規模を増大することなくコントラスト調整をすることができ、かつ、走査信号ＣＯＭｍと表示信号ＳＥＧｎの出力の周波数を半減することができるため、低消費電流を図ることができる。
【００４１】
なお、偶数番目のデューティー期間では当該期間の最初に、奇数番目のデューティー期間では当該期間の最後に、コントラスト調整期間を配置してもよい。この場合、２ｉ番目のデューティー期間のコントラスト調整期間と、２ｉ−１番目のデューティー期のコントラスト調整期間とが連続するように配置される。
（第４の実施形態）
第２の実施形態の液晶駆動装置は、全てのデューティー期間の最後にコントラスト調整期間ｔ２を設けていた。これに対し、第４の実施形態の液晶駆動装置は、偶数番目のデューティー期間と奇数番目のデューティー期間とで、コントラスト調整期間ｔ２を配置する位置を変えている点が、異なっている。本実施形態の液晶駆動装置の構成は、図１に示す液晶駆動装置と同様であるので、説明を省略する。
【００４２】
図６は、第４の実施形態に係わる液晶駆動装置の動作の一例を示す波形図である。図６には、３分の１デューティー駆動の液晶駆動装置において、３本の走査信号ＣＯＭ１、ＣＯＭ２、ＣＯＭ３の駆動波形の一例と、表示信号ＳＥＧｎが全点灯の場合の波形（ＳＥＧ＿点灯）と、表示信号ＳＥＧｎが非点灯の場合の波形（ＳＥＧ＿非点灯）と、点灯／非点灯を組み合わせた総合的な表示信号ＳＥＧｎの波形（ＳＥＧ＿ｘ）、及び、セグメント表示が“１０１”の場合の表示信号ＳＥＧｎの波形（ＳＥＧ＿１０１）を示している。
【００４３】
本実施形態の液晶駆動装置は、走査信号ＣＯＭ１、ＣＯＭ２…ＣＯＭｍ、表示信号ＳＥＧ１、ＳＥＧ２…ＳＥＧｎ共に、Ｖ０、Ｖ１、Ｖ２、Ｖ３の４値を使用する。各デューティー期間ｔ１における基本的な駆動波形は、コントラスト調整期間ｔ２の配置以外、図３に示す液晶駆動装置と同様である。
【００４４】
全てのデューティー期間ｔ１において、全ての走査信号ＣＯＭｍと全ての表示信号ＳＥＧｎは、コントラストコントロール信号ＣＣで指定されたコントラスト調整期間ｔ２だけ、Ｖ０を出力する。偶数番目のデューティー期間は、当該デューティー期間ｔ１の最後にコントラスト調整期間ｔ２が配置されているが、奇数番目のデューティー期間は、当該デューティー期間ｔ１の最初にコントラスト調整期間ｔ２が配置されている。
【００４５】
すなわち、２ｉ番目のデューティー期間のコントラスト調整期間と、２ｉ＋１番目のデューティー期のコントラスト調整期間とが連続するように配置されている。このように配置するとで、２ｉ番目のデューティー期間のコントラスト調整期間が開始されるときに、全ての走査信号ＣＯＭｍと全ての表示信号ＳＥＧｎの電位をＶ０に設定したら、２ｉ＋１番目のデューティー期のコントラスト調整期間が終了するまでＶ０の電位のままでよい。従って、各デューティー期間ｔ１に配置するコントラスト調整期間ｔ２の長さを変えることなく、走査信号ＣＯＭｍと表示信号ＳＥＧｎの出力値の切り替えの頻度を半減することができる。
【００４６】
このように、本実施形態によれば、全てのデューティー期間ｔ１において、全てのコモン配線ＣＯＭｍとセグメント配線ＳＥＧｎに印加する電位を同電位にして出力するコントラスト調整期間ｔ２を設けている。２ｉ番目のデューティー期間のコントラスト調整期間と、２ｉ＋１番目のデューティー期のコントラスト調整期間とは連続するように配置されている。従って、多値を用いて駆動する場合にも、回路規模を増大することなくコントラスト調整をすることができ、かつ、走査信号ＣＯＭｍと表示信号ＳＥＧｎの出力の周波数を半減することができるため、低消費電流を図ることができる。
【００４７】
なお、偶数番目のデューティー期間では当該期間の最初に、奇数番目のデューティー期間では当該期間の最後に、コントラスト調整期間を配置してもよい。この場合、２ｉ番目のデューティー期間のコントラスト調整期間と、２ｉ−１番目のデューティー期のコントラスト調整期間とが連続するように配置される。
【００４８】
本明細書における各「部」は、実施の形態の各機能に対応する概念的なもので、必ずしも特定のハードウェアやソフトウエア・ルーチンに１対１には対応しない。従って、本明細書では、実施の形態の各機能を有する仮想的回路ブロック（部）を想定して説明した。
【００４９】
本発明のいくつかの実施形態を説明したが、これらの実施形態は、一例として示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５０】
１…コントラスト調整タイミング生成回路、２…コントラスト調整時間選択レジスタ、３…表示データ領域、４…駆動タイミング発生回路、５…表示データ選択制御回路、６…コモンドライバ、７…セグメントドライバ、ＣＣ…コントラストコントロール信号、ＣＯＭｍ…走査信号、ＤＡＴＡ（ＣＯＭ）…データ信号、ＤＡＴＡ（ＳＥＧ）…画像データ、ＦＲ…フレーム反転信号、ＳＥＧｎ…表示信号、ｔ１…デューティー期間、ｔ２…コントラスト調整期間、Ｘｍ…コモン電極、Ｙｎ…セグメント電極、
【図１】
2018049152.tif 000003
【図２】
2018049152.tif 000004
【図３】
2018049152.tif 000005
【図４】
2018049152.tif 000006
【図５】
2018049152.tif 000007
【図６】
2018049152.tif 000008